(57)【要約】【課題】  真空吸引を用いたペット(PET)ボトルの減容化処理において、極めてシンプルな形状でコストが安い減容化補助具を提供する。また、家庭用掃除機を用いて簡便・気軽にペットボトルを減容化する。【解決手段】  透光性ウレタンゴムを、硬度５０程度、厚さ約５ｍｍ、直径約７ｃｍの円盤形に注形し、中心に直径約１５ｍｍの真空吸引用貫通孔１５を穿設してなる。減容化補助具１０を介して物品の輪郭形状を視認し位置決めできる。ペットボトルの口部５５を減容化補助具１０の一方の主面側に当接し、掃除機の吸引ノズル４０を減容化補助具１０のもう一方の主面側に当接し、掃除機で吸引すれば３〜５秒程度で２リットル容積のペットボトル５０が変形し減容する。【選択図】  図１
2008080338.tif 000002
【特許請求の範囲】
【請求項１】
真空吸引用の貫通孔を備えた透光性の弾性部材プレートからなり、硬度を４０〜６０、厚さ寸法を約３ｍｍ以上としたことを特徴とするペットボトルの減容化補助具。
【請求項２】
硬度４０〜６０の弾性部材プレートに真空吸引用の貫通孔を設けると共に、一方の主面側にペットボトルの口部外径より大きな径のザグリを所望の深さに設けたことを特徴とするペットボトルの減容化補助具。
【請求項３】
硬度４０〜６０の弾性部材プレートに真空吸引用の貫通孔を設けると共に、一方の主面側には真空吸引ノズルの内径より小さな径の座を所望の高さに設けたことを特徴とするペットボトルの減容化補助具。
【請求項４】
透光性の樹脂プレートの両面に透光性の弾性部材シートを添接し、真空吸引用の貫通孔を設けたことを特徴とするペットボトルの減容化補助具。
【請求項５】
弾性部材からなるプレートに真空吸引用の貫通孔を設けると共に、一方の主面側に掃除機の真空吸引ノズルに弾接嵌合する凹部または凸部のいずれか一方を備えたことを特徴とするペットボトルの減容化補助具。
【請求項６】
真空吸引用の貫通孔を備えた弾性部材プレートを用意し、前記弾性部材プレートの一方の主面側に掃除機の真空吸引ノズルを当接し、他方の主面側にペットボトルの口部を当接しておき、前記掃除機で前記ペットボトル内の空気を吸引することを特徴とするペットボトルの減容化方法。
【発明の詳細な説明】
【技術分野】
【０００１】
本発明はペット(PET)ボトルの回収に際し、ペットボトルを減容化(外形を潰して容積を小さくする。)するのに用いるペットボトル減容化補助具に関する。
【背景技術】
【０００２】
ペットボトルを減容化する手段として機械・器具を用いて外圧により潰す方法、真空吸引手段でペットボトル内の空気を抜く方法などが用いられている。
【０００３】
ペットボトルの口部に密着させる本体と、該本体に形成した空気抜き孔と、前記ペットボトルの内外圧力差に抗して前記空気抜き孔を閉塞可能な閉塞手段とを備えたことを特徴とするペットボトル圧縮用補助具として特開平１０−３２９１３８号公報が提案されている。
【０００４】
さらに、吸引ポンプに繋がる吸引口に空の容器の口部を押し当てながら推力を加えると、前記吸引ポンプが作動して被処理容器内を負圧にして圧縮塑性変形させ、推力を解除して減容された容器をそのまま収集部に受入れて回収することを特徴とするペットボトルの減容回収方法として特開２００４−２４９５３０公報が提案されている。そして、前記吸引口を弾性材(例えばゴム質の材料)で構成することが提案されている。
【特許文献１】特開平１０−３２９１３８号公報
【特許文献２】特開２００４−２４９５３０号公報
【発明の開示】
【発明が解決しようとする課題】
【０００５】
しかし特許文献１における補助具の本体は弾性を備えるものでなく、剛性を有する平板である。従って、ペットボトルの口部との密着性が悪く真空吸引漏れを生じる恐れがあった。
また、補助具はペットボトルに付属したまま回収され、使い捨ての恐れがあった。さらに、補助具の再利用に際しては補助具を減容化したペットボトルから都度、取り外す必要があり、手間がかかり面倒であった。
【０００６】
特許文献２における吸引口はゴム部材からなるものの透光性について開示するものでない。また図３に示されているように、吸引口(符号１０)は吸引配管接続金具(１６)と取付座(１３)を備えた筒状体をなし形状が複雑でコストが高くついていた。
【０００７】
本発明は真空吸引を用いたペットボトルの減容化処理において、極めてシンプルな形状でコストが安い減容化補助具を提供することを目的とする。また、補助具とペットボトル口部、または補助具と吸引ノズルとの密着性を確保し、かつ、各部材間(ペットボトルの口部、減容化補助具、吸引ノズル)の位置決めを容易にすることを目的とする。さらに、スペースをとらずどこにでも収納できると共に、家庭用掃除機を用いて簡便・気軽にペットボトルを減容化できることを目的とする。
【課題を解決するための手段】
【０００８】
本発明にかかる第一のペットボトルの減容化補助具は、真空吸引用の貫通孔を備えた透光性の軟質樹脂プレート(弾性部材)または真空吸引用の貫通孔を備えた透光性のゴムプレート(弾性部材)のいずれか一方からなり、硬度を４０〜６０、好ましくは５０程度とし、厚さ寸法を約３ｍｍ以上としたことを特徴としたもので、極めてシンプルな形状なのでプレス加工または射出成形、注形が容易でコストが安い。また、表面が弾性を有することにより補助具とペットボトル口部、または補助具と吸引ノズルとの密着性を確保できる。さらに透光性を有しているので減容化補助具を介してペットボトル口部または吸引ノズルを視認でき部材間の位置決めを容易にできる。さらに、スペースをとらずどこにでも収納でき、家庭の掃除機を用いて簡便・気軽にペットボトルを減容化できる。(請求項１)
【０００９】
本発明にかかる第二のペットボトルの減容化補助具は、硬度４０〜６０の軟質樹脂プレートまたは硬度４０〜６０のゴムプレートのいずれか一方に真空吸引用の貫通孔を設け、前記貫通孔と同心円状に一方の主面側には吸引ノズルの外形より大きな径のザグリ(凹部)を所望の深さに設け、他方の主面側にはペットボトルの口部外径より大きな径のザグリ(凹部)を所望の深さに設けたことを特徴としたもので、シンプルな形状なので注型または射出成形が可能でコストが安い。また、弾性を有することにより補助具とペットボトル口部、または補助具と吸引ノズルとの密着性を確保できる。さらにザグリによりペットボトル口部及び吸引ノズルの位置決めを容易にできる。さらに、スペースをとらずどこにでも収納でき、家庭の掃除機を用いて簡便・気軽にペットボトルを減容化できる。(請求項２)
【００１０】
本発明にかかる第三のペットボトルの減容化補助具は、硬度４０〜６０の軟質樹脂プレートまたは硬度４０〜６０のゴムプレートのいずれか一方に真空吸引用の貫通孔を設け、前記貫通孔と同心円状に一方の主面側には真空吸引ノズルの内径より小さな径の座(凸部)を所望の高さに設け、他方の主面側にはペットボトルの口部内径より小さな径の座(凸部)を所望の高さに設けたことを特徴としたもので、シンプルな形状なので注型または射出成形が可能でコストが安い。また、弾性を有することにより補助具とペットボトル口部、または補助具と吸引ノズルとの密着性を確保できる。さらに両面に設けた座によりペットボトル口部及び吸引ノズルの位置決めを容易にできる。さらに、スペースをとらずどこにでも収納でき、家庭の掃除機を用いて簡便・気軽にペットボトルを減容化できる。(請求項３)
【００１１】
本発明にかかる第四のペットボトルの減容化補助具は、透光性の樹脂プレートの両面に透光性の軟質樹脂シート(弾性部材)または透光性のゴムシート(弾性部材)のいずれか一方を添接し、真空吸引用の貫通孔を設けたことを特徴としたもので、極めてシンプルな形状なのでプレス加工または射出成形が可能でコストが安い。また、表面が弾性を有することにより補助具とペットボトル口部、または補助具と吸引ノズルとの密着性を確保できる。さらに透光性を有しているので減容化補助具を介してペットボトル口部または吸引ノズルを視認でき部材間の位置決めを容易にできる。さらに、スペースをとらずどこにでも収納でき、家庭の掃除機を用いて簡便・気軽にペットボトルを減容化できる。(請求項４)
【００１２】
本発明にかかる第五のペットボトルの減容化補助具は、軟質樹脂プレートまたはゴムプレートのいずれか一方に真空吸引用の貫通孔を設けると共に、一方の主面側に掃除機の真空吸引ノズルに弾接嵌合する凹部または凸部のいずれか一方を備えたことを特徴としたもので、掃除機の真空吸引ノズル端部に装着しておき、ペットボトル減容化補助具のもう一方の主面側にペットボトルの口部を当接した状態で真空吸引することによりペットボトルの減容化作業を順次、効率よく実施できる。(請求項５)
【００１３】
さらに、本発明にかかるペットボトルの減容化方法は、真空吸引用の貫通孔を備えた弾性部材からなるプレートを用意し、前記弾性部材からなるプレートの一方の主面側に掃除機の真空吸引ノズルを当接し、他方の主面側にペットボトルの口部を当接しておき、前記掃除機で前記ペットボトル内の空気を吸引することを特徴としたもので、家庭用掃除機を用いて簡便・気軽にペットボトルを減容化できる。(請求項６)
【発明の効果】
【００１４】
上記構成により本発明のペットボトルの減容化補助具は、極めてシンプルな形状でコストが安い。また、補助具とペットボトル口部、または補助具と吸引ノズルとの密着性を確保し、かつ、各部材間の位置決めを容易にできる。さらに、スペースをとらずどこにでも収納できると共に、家庭用掃除機を用いて簡便・気軽にペットボトルを減容化できる。
【発明を実施するための最良の形態】
【００１５】
本発明にかかるペットボトルの減容化補助具と減容化方法は上述の通りである。減容化補助具を構成する透光性の軟質樹脂(弾性部材)として例えば、向こう側が透けて輪郭を視認できるウレタン樹脂、ポリプロピレン(ＰＰ)樹脂、透明度のよいシリコンゴム、アクリルゴム、ポリエステルエラストマ樹脂組成物、軟質透明塩化ビニールなどから選んだ一つを用いるのが望ましい。硬度は４０〜６０程度、好適には５０程度とするのが好ましい。減容化補助具の外形はプレート状とするのが好ましい。前記プレートは円形、矩形など任意で、形状加工はシート状の軟質樹脂をプレス加工、刃物による切断加工、レーザー加工など一般的な手段を用いればよい。
【００１６】
透光性のゴム部材(弾性部材)としては例えばウレタンゴム、シリコンゴムなどを注型または射出成形するのが好ましい。勿論、透光性ゴムシートをプレス加工、刃物による切断加工、レーザー加工などしてもよい。この場合も硬度は５０程度とするのが好ましい。
なお、透光性は透明度が高い方が望ましいが、減容化補助具を通して相手部材を視認できる程度であればよい。
【００１７】
透光性の剛性樹脂板としては例えば透明塩化ビニール、アクリル樹脂、ポリカーボネート樹脂などから選んだ一つとするのが好ましい。
【００１８】
真空吸引手段としては一般的な真空ポンプを用いればよいが、家庭用の掃除機(吸込仕事率２６０Ｗ〜６００Ｗ)とその真空吸引ノズルを用いるのが簡便で手っ取り早く、いつでも好きな時にペットボトルの減容化を実施できる。
【実施例１】
【００１９】
以下、本発明のペットボトル減容化補助具を図面とともに説明する。図１は本発明の一実施例におけるペットボトル減容化補助具を用いペットボトルの減容化操作の過程を示す要部断面図、図２は本発明のもう一つの実施例におけるペットボトル減容化補助具の断面図、図３〜図６は本発明の他の実施例におけるペットボトル減容化補助具の断面図である。
【００２０】
図1に示すペットボトル減容化補助具１０は透光性ウレタンゴムを、厚さ約５ｍｍ、直径約７ｃｍの円盤形に注形加工してなり、中心に直径約１５ｍｍの真空吸引用貫通孔１５を穿設してなる。ウレタンゴムを介して物品の輪郭形状を視認できる。硬度は５０程度とした。
【００２１】
ペットボトル５０の減容化操作は、口部５５を前記ペットボトル減容化補助具１０の一方の主面側に当接し、掃除機の吸引ノズル４０を前記ペットボトル減容化補助具１０のもう一方の主面側に当接する。その状態で掃除機をスイッチオンさせ真空吸引すれば３〜５秒程度で、２リットル容積のペットボトル５０は面積の大きい方の容器側面が相互に接触する程度にまで変形し減容する。掃除機の吸引をとめた後もペットボトル５０の変形は少ししか戻らず減容化状態を維持している。
【００２２】
このように実施例１におけるペットボトル減容化補助具１０は極めてシンプルな形状でコストが安い減容化補助具を提供できる。また、補助具１０とペットボトル口部５５、または補助具１０と吸引ノズル４０との密着性を確保し、かつ、各部材間(口部５５、ペットボトル減容化補助具１０、吸引ノズル４０)の位置決めを透光性により容易に確認できる。さらに、スペースをとらずどこにでも収納できると共に、家庭用掃除機を用いて簡便・気軽にペットボトルを減容化できる。
【実施例２】
【００２３】
図２は本発明のもう一つの実施例におけるペットボトル減容化補助具２０を示す。ペットボトル減容化補助具２０は透光性シリコンゴムを注形してなり硬度は５０程度である。厚さ約１０ｍｍ、直径約７ｃｍの円盤形で、中心に直径約１５ｍｍの真空吸引用貫通孔２５を穿設してなる。さらに、前記貫通孔２５と同心円状に一方の主面側には真空吸引ノズルの外形より大きな直径約５４ｍｍの第一のザグリ２１を深さ３ｍｍ程度に設け、他方の主面側にはペットボトルの口部外径より大きな直径約３０ｍｍの第二のザグリ２２を深さ３ｍｍ程度に設けたことを特徴とする。
【００２４】
この場合もペットボトルの減容化操作は実施例１の場合とほぼ同様に実施すればよい。ペットボトルの口部をペットボトル減容化補助具２０の第二のザグリ２２面側(直径約３０ｍｍ)に当接し、掃除機の吸引ノズル４０をペットボトル減容化補助具２０の第一のザグリ２１面側(直径約５４ｍｍ)に当接する。その状態で掃除機をスイッチオンさせ吸引すれば３〜５秒程度の間に、２リットル容積のペットボトル５０は面積の大きい方の容器側面が相互に接触する程度にまで変形し減容する。
【００２５】
なお、ペットボトル減容化補助具２０は透光性のシリコンゴムに代え、不透光の天然ゴム、ニトリルゴム等としてもよい。不透光であっても両主面にそれぞれ二つのザグリ２１、２２を設けているのでペットボトルの口部５５および掃除機の吸引ノズル４０は容易に位置決めできる。さらに、スペースをとらずどこにでも収納できると共に、家庭の掃除機を用いて簡便・気軽にペットボトルを減容化できる。
【００２６】
図６は本発明のもう一つの実施例におけるペットボトル減容化補助具８０の断面図を示す。不透光のニトリルゴムプレートに真空吸引用の貫通孔８５を設けると共に、一方の主面側に掃除機の吸引ノズル４０に弾接嵌合(軽く圧入)する凹部８１を備えた構成とした。ペットボトル減容化補助具８０の外径は約６０ｍｍ、約厚さは約１０ｍｍ、凹部８１の深さは約５ｍｍ、ゴム硬度は５０程度とした。
【００２７】
掃除機の吸引ノズル４０端部にペットボトル減容化補助具８０の凹部８１を弾接嵌合しておき、ペットボトル減容化補助具８０のもう一方の主面側にペットボトルの口部を当接した状態で真空吸引することにより多数のペットボトルの減容化作業を順次、効率よく実施できる。減容化作業が終わればペットボトル減容化補助具８０を取り外し、所定の場所たとえば真空吸引ノズル４０に設けたホルダー、または掃除機本体に設けたホルダーに装着しておけばよい(図示せず)。
【実施例３】
【００２８】
図３は本発明のもう一つの実施例におけるペットボトル減容化補助具３０を示す。ペットボトル減容化補助具３０は透明で剛性を有するアクリル樹脂プレート３１の両面に軟質の透明塩化ビニールシート３２をそれぞれ両面粘着シート等で添接固定し、中央に真空吸引用の貫通孔３５を設けたことを特徴とする。
アクリル樹脂プレート３１は厚さ約３ｍｍ、直径約７ｃｍの円盤形。透明塩化ビニールシート３２は厚さ約１ｍｍ、直径約７ｃｍの円盤形。それぞれの中心に直径約１５ｍｍの真空吸引用貫通孔３５を穿設してなる。
【００２９】
この場合もペットボトルの減容化操作は実施例１の場合と同様に実施すればよい。ペットボトルの口部５５を前記ペットボトル減容化補助具３０の一方の主面側に当接し、掃除機の吸引ノズル４０をペットボトル減容化補助具３０のもう一方の主面側に当接する。その状態で掃除機をスイッチオンさせ吸引すれば３〜５秒程度の間に、２リットル容積のペットボトル５０は面積の大きい方の容器側面が相互に接触する程度にまで減容する。
【００３０】
このように実施例３におけるペットボトル減容化補助具３０も極めてシンプルな形状で透明度に優れた部材で構成しているので各部材間(口部、ペットボトル減容化補助具、吸引ノズル)の位置決めを透光性により容易にできる。さらに、スペースをとらずどこにでも収納できると共に、家庭の掃除機を用いて簡便・気軽にペットボトルを減容化できる。
【実施例４】
【００３１】
図４は本発明のもう一つの実施例におけるペットボトル減容化補助具６０を示す。ペットボトル減容化補助具６０は天然ゴムを射出成形してなり硬度は５０程度である。厚さ約５ｍｍ、直径約７ｃｍの円盤形で、中心に直径約１５ｍｍの真空吸引用貫通孔６５を穿設してなる。さらに、前記貫通孔６５と同心円状に一方の主面側には真空吸引ノズルの内径より小さな直径約２８ｍｍの第一の座６１を高さ３ｍｍ程度に設け、他方の主面側にはペットボトルの口部内径より小さな直径約１９ｍｍの第二の座６２を高さ３ｍｍ程度に設けたことを特徴とする。
【００３２】
この場合もペットボトルの減容化操作は実施例１の場合とほぼ同様に実施すればよい。ペットボトルの口部をペットボトル減容化補助具６０の第二の座６２に嵌着し、掃除機の吸引ノズル４０をペットボトル減容化補助具６０の第一の座６１に嵌着する。その状態で掃除機をスイッチオンさせ吸引すれば３〜５秒程度の間に、２リットル容積のペットボトル５０は面積の大きい方の容器側面が相互に接触する程度にまで変形し減容する。
【００３３】
ペットボトル減容化補助具６０は不透光であっても両主面にそれぞれ二つの円形座６１、６２を所定の高さに設けているのでペットボトルの口部５５および掃除機の吸引ノズル４０を容易に位置決めできる。さらに、スペースをとらずどこにでも収納できると共に、家庭の掃除機を用いて簡便・気軽にペットボトルを減容化できる。
【００３４】
図５は本発明のもう一つの実施例におけるペットボトル減容化補助具７０の断面図を示す。不透光のニトリルゴムプレートに真空吸引用の貫通孔７５を設けると共に、一方の主面側に掃除機の吸引ノズル４０に弾接嵌合する座７１(凸部)を備えた構成とした。ペットボトル減容化補助具７０の外径は約６０ｍｍ、厚さは約５ｍｍ、座７１の高さは約５ｍｍ、ゴム硬度は５０程度とした。
【００３５】
掃除機の吸引ノズル４０端部にペットボトル減容化補助具７０の座７１を弾接嵌合しておき、ペットボトル減容化補助具７０のもう一方の主面側にペットボトルの口部を当接した状態で真空吸引することにより多数のペットボトルの減容化作業を順次、効率よく実施できる。減容化作業が終わればペットボトル減容化補助具８０を取り外し、所定の場所たとえば吸引ノズル４０に設けたホルダー、または掃除機本体に設けたホルダーに装着しておけばよい(図示せず)。
【００３６】
なお上記実施例において、減容化するペットボトルの容積は２リットルに限るものでなく５００ミリリットル等任意としてよいことは自明である。
【産業上の利用可能性】
【００３７】
本発明の減容化補助具はペットボトルの減容化以外に、牛乳や酒などの紙パックの減容化、ビールなどのアルミニウム缶の減容化にも利用できる。
【図面の簡単な説明】
【００３８】
【図１】本発明の一実施例におけるペットボトル減容化補助具を用いペットボトルの減容化操作の過程を示す要部断面図
【図２】本発明のもう一つの実施例におけるペットボトル減容化補助具の断面図
【図３】本発明のもう一つの実施例におけるペットボトル減容化補助具の断面図
【図４】本発明のもう一つの実施例におけるペットボトル減容化補助具の断面図
【図５】本発明のもう一つの実施例におけるペットボトル減容化補助具の断面図
【図６】本発明のもう一つの実施例におけるペットボトル減容化補助具の断面図
【符号の説明】
【００３９】
１０、２０、３０、６０、７０、８０  減容化補助具
１５、２５、３５、６５、７５、８５  貫通孔
２１  第一のザグリ
２２  第二のザグリ
３１  アクリル樹脂プレート
３２  透明塩化ビニールシート
４０  吸引ノズル
５０  ペットボトル
５５  口部
６１  第一の座
６２  第二の座
７１  座
８１  凹部
【図１】
2008080338.tif 000003
【図２】
2008080338.tif 000004
【図３】
2008080338.tif 000005
【図４】
2008080338.tif 000006
【図５】
2008080338.tif 000007
【図６】
2008080338.tif 000008